(57)【要約】【課題】熱カシメ工程によらずロータにシャッタを回動可能に取付ける。【解決手段】  記録媒体カートリッジ１は、筺体２内に、記録媒体３と、ロータ４と、シャッタ５と、を重ねて収納し、ロータ４を回転させるとシャッタ５が枢支部８を中心に回動し、筺体２のシェルに設けた開口部６を閉じる第１の位置と、開口部を開放する第２の位置との間で移動する。枢支部８は、ロータ４に設けられた軸部８ａと、シャッタ５に設けられた軸受部８ｂと、で構成されている。軸部８ａは、小径部８ｃと、該小径部の先端に設けられたフランジ状の大径部８ｄと、で構成されている。軸受部８ｂは、大径部８ｄよりも大径の大径孔部８ｅと、小径部８ｃと同径若しくは小径の小径孔部８ｆと、大径孔部８ｅと小径孔部８ｆとの間に設けられていて大径孔部８ｅから小径孔部８ｆ側に小径部８ｃを圧入可能な連通部８ｇと、で構成されている。【選択図】図１５
2008091033.tif 000002
【特許請求の範囲】
【請求項１】
カートリッジ筺体内に、情報記録媒体と、インナーロータと、シャッタと、を重ねて収納し、インナーロータを回転させるとシャッタが枢支部を中心にして回動し、カートリッジ筺体のシェルに設けた開口部を閉じる第１の位置と、開口部を開放する第２の位置との間で移動するようにした記録媒体カートリッジにおいて、
前記枢支部は、インナーロータに設けられた軸部と、シャッタに設けられた軸受部と、を備え、
前記軸部は、小径部と、該小径部の先端に設けられたフランジ状の大径部と、を備え、
前記軸受部は、前記軸部の大径部よりも大径の大径孔部と、前記軸部の小径部と同径若しくは小径の小径孔部と、前記大径孔部と前記小径孔部との間に設けられていて前記大径孔部から前記小径孔部側に前記軸部の小径部を圧入可能な連通部と、を備え、
前記軸部の小径部の高さは、前記シャッタの肉厚よりも大に形成されていることを特徴とする記録媒体カートリッジ。
【請求項２】
カートリッジ筺体内に、情報記録媒体と、インナーロータと、シャッタと、を重ねて収納し、インナーロータを回転させるとシャッタが枢支部を中心にして回動し、カートリッジ筺体のシェルに設けた開口部を閉じる第１の位置と、開口部を開放する第２の位置との間で移動するようにした記録媒体カートリッジにおいて、
前記枢支部は、インナーロータに設けられた軸部と、シャッタに設けられた軸受部と、を備え、
前記軸部は、小径部と、該小径部の先端に設けられたフランジ状の大径部と、を備え、
前記軸受部は、前記軸部の大径部よりも大径の大径孔部と、前記軸部の小径部と同径若しくは小径の小径孔部と、前記大径孔部と前記小径孔部との間に設けられていて前記大径孔部から前記小径孔部側に前記軸部の小径部を圧入可能な連通部と、を備え、
前記軸部の大径部の頂部までの高さは、前記シャッタの肉厚よりも小に形成されていて、
前記軸受部の小径孔部は、前記軸部の小径部を挿入する第１受部と、前記軸部の大径部を挿入する第２受部と、を備えていることを特徴とする記録媒体カートリッジ。
【請求項３】
前記軸部の大径部の上面は、平坦面に形成され、前記軸部の大径部の下面は、外周部側から内周部側に行くに従って徐々に肉厚が厚くなる傾斜面に形成されていることを特徴とする請求項２に記載の記録媒体カートリッジ。
【発明の詳細な説明】
【技術分野】
【０００１】
本発明は、カートリッジ筺体内に、情報記録媒体と、インナーロータと、シャッタと、を重ねて収納し、インナーロータを回転させるとシャッタ駆動機構によりシャッタがカートリッジ筺体のシェルに設けた開口部を閉じる第１の位置と、開口部を開放する第２の位置との間で移動するようにした記録媒体カートリッジに関するものである。
【背景技術】
【０００２】
図３７に示すように、記録媒体カートリッジ１０１として、上、下シェル１０２ａ，１０２ｂからなるカートリッジ筺体１０２内に、情報記録媒体としてのディスク１０３と、シャッタ１０５と、インナーロータ１０４と、シャッタ１０５と、を重ね合わせて収納し、インナーロータ１０４を回転させるとシャッタ駆動機構１０６によりシャッタ１０５がカートリッジ筺体１０２の下シェル１０２ｂに設けた開口部１０２ｃを閉じる第１の位置と、開口部を開放する第２の位置との間で移動するようにしたものが知られている。
【０００３】
前記シャッタ駆動機構１０６は、インナーロータ１０４にシャッタ１０５を回動可能に取り付けている枢支部１０７と、シャッタ１０５に形成された長孔１０８と、下シェル１０２ｂの内面に設けられていて前記長孔１０８に挿入されている駆動軸部１０９と、を備えている。そして、インナーロータ１０４を一方向に回転させると、駆動軸部１０９が長孔１０８内を一方向に変移しながら枢支部１０７を中心にしてシャッタ１０５を前記開口部１０２ｃを閉じる第１の位置に回動移動させ、インナーロータ１０４を他方向に回転させると、駆動軸部１０９が長孔１０８内を他方向に変移しながら枢支部１０７を中心にしてシャッタ１０５を前記開口部１０２ｃを開放する第２の位置に回動移動させるようになっている。なお、前記枢支部１０７は、インナーロータ１０４の下面側に設けられた軸部１０７ａと、シャッタ１０５に形成された軸受部１０７ｂと、からなっている。（例えば、特許文献１参照）。
【特許文献１】特開平２００１−３３２０５４号公報（段落００１３、段落００４４、図９〜図１１）
【発明の開示】
【発明が解決しようとする課題】
【０００４】
ところで、前記記録媒体カートリッジ１０１は、図３８に示すように、下シェル１０２ｂの内面に設けた駆動軸部１０９の先端部を、シャッタ１０５に設けた長孔１０８に、ただ単に挿入しているだけであったために、樹脂成形したシャッタ１０５やインナーロータ１０４が反ったり、或いは記録媒体カートリッジ１０１を誤って落とすなどして、記録媒体カートリッジ１０１に強い衝撃が加わったりすると、図３９に示すように、駆動軸部１０９が長孔１０８から容易に抜け出てしまうという問題点があった。
【０００５】
特に、記録媒体カートリッジ１０１は、カートリッジ筺体１０２内で、ディスク１０３を回転させ、且つインナーロータ１０４およびシャッタ１０５を回動させるものであり、ディスク１０３やインナーロータ１０４、シャッタ１０５等を他部材と接触することなく、円滑に回転或いは回動させるためには、シャッタ１０５やインナーロータ１０４を出来るだけ薄くしなければならない。
シャッタ１０５を薄くすると一層、駆動軸部１０９は、前記長孔１０８から抜け易くなる。
【０００６】
従って、前述のようなカートリッジ筺体内で情報記録媒体を回転させ、且つインナーロータおよびシャッタを回動させる記録媒体カートリッジにおいては、シャッタを薄くしても長孔から駆動軸部が容易に抜け出ることのないようにすることが解決しなければならない重要な課題の一つになっていた。
【０００７】
また、従来は、図４０に示すように、前記枢支部１０７は、インナーロータ１０４に設けられた軸部１０７ａをシャッタ１０５に形成された軸受部１０７ｂに挿入し、前記軸部１０７ａの先端部を熱カシメ工程により拡径して抜け止め用の拡径部１０７ｃを設けることにより形成していたために、熱カシメを行なう際に溶け代精度を安定させなければならないが、射出成型により形成されるシャッタには反りが発生し易く、上記反りは熱カシメ精度を悪化させ、所謂はみ出しや捲れが発生し、シャッタの開閉動作不良を引き起こす原因になるという問題点及び熱カシメ工程は、部品としてのインナーロータ１０４を治具へセットする作業が面倒であり、また、成型ロット毎のインナーロータ１０４の寸法のバラツキを補正するための固定治具やホーンの調整に手間をようするために組立ての作業性が悪くなるという問題点があり、組立て作業性を向上させることもこの種の記録媒体カートリッジにおいては、解決しなければならない重要な課題の一つになっていた。
【０００８】
本発明の目的は、後者の課題を解決し、熱カシメ工程によらずインナーロータにシャッタを回動可能に取付けることのできる記録媒体カートリッジを提供することにある。
【課題を解決するための手段】
【０００９】
請求項１の発明は、カートリッジ筺体内に、情報記録媒体と、インナーロータと、シャッタと、を重ねて収納し、インナーロータを回転させるとシャッタが枢支部を中心にして回動し、カートリッジ筺体のシェルに設けた開口部を閉じる第１の位置と、開口部を開放する第２の位置との間で移動するようにした記録媒体カートリッジにおいて、
前記枢支部を、インナーロータに設けられた軸部と、シャッタに設けられた軸受部と、で構成し、前記軸部を、小径部と、該小径部の先端に設けられたフランジ状の大径部と、で構成し、前記軸受部を、前記軸部の大径部よりも大径の大径孔部と、前記軸部の小径部と同径若しくは小径の小径孔部と、前記大径孔部と前記小径孔部との間に設けられていて前記大径孔部から前記小径孔部側に前記軸部の小径部を圧入可能な連通部と、で構成し、前記軸部の小径部の高さを前記シャッタの肉厚よりも大に形成した。
【００１０】
請求項２の発明は、カートリッジ筺体内に、情報記録媒体と、インナーロータと、シャッタと、を重ねて収納し、インナーロータを回転させるとシャッタが枢支部を中心にして回動し、カートリッジ筺体のシェルに設けた開口部を閉じる第１の位置と、開口部を開放する第２の位置との間で移動するようにした記録媒体カートリッジにおいて、
前記枢支部を、インナーロータに設けられた軸部と、シャッタに設けられた軸受部と、で構成し、前記軸部を、小径部と、該小径部の先端に設けられたフランジ状の大径部と、で構成し、前記軸受部を、前記軸部の大径部よりも大径の大径孔部と、前記軸部の小径部と同径若しくは小径の小径孔部と、前記大径孔部と前記小径孔部との間に設けられていて前記大径孔部から前記小径孔部側に前記軸部の小径部を圧入可能な連通部と、で構成し、前記軸部の大径部の頂部までの高さを、前記シャッタの肉厚よりも小に形成し、前記軸受部の小径孔部を、前記軸部の小径部を挿入する第１受部と、前記軸部の大径部を挿入する第２受部と、で構成した。
【００１１】
請求項３の発明は、請求項２に記載の記録媒体カートリッジにおいて、
前記軸部の大径部の上面を平坦面に形成し、下面を外周部側から内周部側に向かって徐々に肉厚を増す傾斜面に形成した。
【発明の効果】
【００１２】
請求項１の記録媒体カートリッジは、前記軸部の大径部を前記軸受部の大径孔部に挿入し、前記軸部の大径部を前記シャッタの表面から突出させ、該シャッタを前記軸受部の小径孔部に向けて移動させれば前記連通部を通って前記軸受部の小径孔部内に前記軸部の小径部が挿入されて、シャッタは前記軸部の小径部を中心に回動可能な状態になると共に、前記軸部の大径部によってシャッタの軸部からの抜けが阻止される。
【００１３】
請求項２の記録媒体カートリッジは、前記軸受部の小径孔部内に前記軸部の小径部を挿入した状態にすると、前記軸受部の大径孔部内に前記軸部の大径部が挿入されて、該前記軸部の大径部がシャッタの表面から突出するのを防止する。
【００１４】
請求項３の記録媒体カートリッジは、前記軸部の大径部の内側の肉厚を厚くして前記軸受部の小径孔部から軸部が抜け難くなる。
【発明を実施するための最良の形態】
【００１５】
以下、本発明の記録媒体カートリッジを、（１）記録媒体カートリッジの概略構成およびシャッタ駆動機構の構成、（２）カートリッジ筺体の構成、（３）情報記録媒体の構成、（４）インナーロータの構成、（５）シャッタの構成、（６）作用の各項に分けて順に説明する。
【００１６】
（１）記録媒体カートリッジの概略構成およびシャッタ駆動機構の構成
図１は記録媒体カートリッジを上面側から見た斜視図、図２は記録媒体カートリッジを下面側から見た斜視図、図３はシャッタを開いた状態の斜視図、図４は分解斜視図、図５は裏返して分解した状態の斜視図である。
【００１７】
図１〜図５に示したように、記録媒体カートリッジ１は、カートリッジ筐体２内に、情報記録媒体３と、インナーロータ４と、シャッタ５と、を重ね合せた状態で収納し、インナーロータ４を回転させることにより、シャッタ５をシャッタ駆動機構７によりカートリッジ筐体２に設けた開口部６を閉塞する第１の位置と、開口部６を開放する第２の位置との間で移動させるようになっている。
【００１８】
図６はシャッタ駆動機構７の分解斜視図である。前記シャッタ駆動機構７は、インナーロータ４にシャッタ５を回動可能に取り付けている枢支部８と、該枢支部８を中心に放射方向にシャッタ５に形成された長孔９と、カートリッジ筺体２の下シェル２２の内面に設けられ、且つ前記長孔９に挿入されていてインナーロータ４を回転させると前記長孔９内を変移しながら前記枢支部８を中心にしてシャッタ５を回動させる駆動軸部１０と、を備えている。
【００１９】
前記駆動軸部１０は、先端部がシャッタ５に対向するインナーロータ４のシャッタ対向面に設けた軸受凹部１１に係合されている。前記軸受凹部１１は、前記駆動軸部１０の先端部を挿入した侭の状態でインナーロータ４を回転可能にするためにインナーロータ４の円周方向に形成されている。
【００２０】
そして、図７に示すように、シャッタ５がカートリッジ筐体２に設けた開口部６を閉塞する第１の位置にある状態から、インナーロータ４を一方向（図７の反時計方向）に回転させるとシャッタ駆動機構７を構成する長孔９と駆動軸部１０によりシャッタ５は、枢支部８を中心にして回動して、図８に示すように、カートリッジ筐体２に設けた開口部６を開放する第２の位置に回動移動する。逆に、シャッタ５が第２の位置にある状態から、インナーロータ４を他方向（図８の時計方向）に回転させるとシャッタ駆動機構７によりシャッタ５は、カートリッジ筐体２に設けた開口部６を閉塞する第１の位置に回動移動するようになっている。
【００２１】
図９に示すように、前記駆動軸部１０は、カートリッジ筐体２の下シェル２２に一体的に樹脂成形されていて、先端部１０ａがインナーロータ４に設けた軸受凹部１１に係合されている。前記軸受凹部１１は、あり溝状に形成され、前記駆動軸部１０の先端部１０ａは、前記あり溝状の軸受凹部１１に係合する略円錐形状に形成されている。
【００２２】
前記あり溝状の軸受凹部１１の下端の最小幅部の幅Ｗ１は、前記シャッタ５の長孔９の幅Ｗ２よりも大になるように形成されている。前記シャッタ５の長孔９の上端部には、前記駆動軸部１０の略円錐形の先端部１０ａとの干渉を避けるための切欠部１２が設けられている。
【００２３】
図１０に示すように、インナーロータ４は、軸受凹部１１の円周方向の一端部に連続して、前記駆動軸部１０の略円錐形の先端部１０ａを前記軸受凹部１１内に挿入するための挿入口部１３を備えている。前記挿入口部１３は、前記駆動軸部１０の略円錐形の先端部１０ａよりも大に形成されている。
【００２４】
そして、図１１に示すように、前記挿入口部１３に前記駆動軸部１０の略円錐形の先端部１０ａを挿入して、前記あり溝状の軸受凹部１１の一端部に位置させてから、前記略円錐形の先端部１０ａを矢印Ａ方向に移動させて前記あり溝状の軸受凹部１１内に挿入するようになっている。
【００２５】
図１２は、シャッタ駆動機構７の他の実施例を示す。この実施例において、軸受凹部１１は、インナーロータ４の上面に貫通している。前記軸受凹部１１は、前記シャッタ５に形成された長孔９の幅Ｗ２よりも広い幅Ｗ３に形成され、且つシャッタ５との対向面側に開口する第１の溝部１１ａと、該第１の溝部１１ａの上端部に連続し、且つ上シェルとの対向面側に開口する前記第１の溝部１１ａよりも広い幅Ｗ４の第２の溝部１１ｂと、を備えている。
【００２６】
一方、駆動軸部１０の先端部１０ａは、前記第１の溝部１１ａに挿入される第１の溝挿入部１０ｂと、前記第１の溝部１１ａよりも広い幅で、前記第２の溝部１１ｂよりも狭い幅の第２の溝挿入部（フランジ部）１０ｃと、で構成されている。
【００２７】
前記駆動軸部１０の先端部１０ａは、インナーロータ４の厚みＴの範囲内で前記軸受凹部１１内に挿入されている。
【００２８】
図１３に示すように、軸受凹部１１の円周方向の一端部に連続して、前記駆動軸部１０ａの第１，第２の溝挿入部１０ｂ，１０ｃを前記第１，第２の溝部１１ａ，１１ｂに挿入する挿入口部１３を備えている。
【００２９】
そして、図１４に示すように、前記挿入口部１２に前記駆動軸部１０の先端部１０ａの第１，第２の溝挿入部１０ｂ，１０ｃを前記第１，第２の溝部１１ａ，１１ｂの一端部に位置させてから、矢印Ａ方向にスライドさせることにより、前記第１，第２の溝挿入部１０ｂ，１０ｃを前記第１，第２の溝部１１ａ，１１ｂ内に挿入可能な構成になっている。他の構成は、基本となる実施例の場合と同じであるので重複する説明を省略する。
【００３０】
また、図１５に示すように、前記インナーロータ４にシャッタ５を回動可能に取り付けている枢支部８は、インナーロータ４に設けられた軸部８ａと、シャッタ５に設けられた軸受部８ｂと、からなっている。
【００３１】
前記軸部８ａは、小径部８ｃと、該小径部８ｃの先端に設けられたフランジ状の大径部８ｄと、を備えている。また、図１６に示すように、前記軸受部８ｂは、前記軸部８ａの大径部８ｄよりも大径の大径孔部８ｅと、前記軸部８ａの小径部８ｃと同径若しくは小径の小径孔部８ｆと、前記大径孔部８ｅと前記小径孔部８ｆとの間に設けられていて前記大径孔部８ｅから前記小径孔部８ｆ側に前記軸部８ａの小径部８ｃを圧入挿入可能な連通部８ｇと、を備えている。
前記連通部８ｇは、前記小径部８ｃの直径よりも幅狭に形成されている。前記軸部８ａの前記大径部８ｄの下面までの高さＨ１は、前記シャッタ５の肉厚Ｔよりも大に形成されている。
【００３２】
図１７に示すように、前記軸部８ａの大径部８ｄを前記軸受部８ｂの大径孔部８ｅに挿入し、前記軸部８ａの大径部８ｄを前記シャッタ５の表面から突出させ、該シャッタ５を前記軸受部８ｂの小径孔部８ｆに向けて移動させれば、図１８に示すように、前記軸部８ａの小径部８ｃは、前記連通部８ｇを通って前記軸受部８ｂの小径孔部８ｆ内に挿入されて、シャッタ５は、前記軸部８ａの小径部８ｃを中心に回動可能な状態になると共に、前記フランジ状の大径部８ｄによって軸部８ａの小径部８ｃからの抜けが阻止される。
【００３３】
図１９、図２０は、枢支部８の他の実施例を示す。この実施例において、前記軸部８ａの高さＨ２は、前記シャッタ５の肉厚Ｔよりも小に形成されている。また、前記軸受部８ｂの大径孔部８ｅ及び小径孔部８ｆは、前記軸部８ａの小径部８ｃを挿入する第１受部８ｈと、前記軸部８ａの大径部８ｄを挿入する第２受部８ｉと、で構成されている。
【００３４】
そして、図２１に示すように、前記軸部８ａの大径部８ｄを前記軸受部８ｂの大径孔部８ｅに挿入して、前記シャッタ５を前記軸受部８ｂの小径孔部８ｆに向けて移動させれば、図２２に示すように、前記軸部８ａの小径部８ｃは、前記軸受部８ｂの小径孔部８ｆの第１受部８ｈに位置し、前記軸部８ａの大径部８ｄは、前記軸受部８ｂの小径孔部８ｆの第２受部８ｉ内に位置して、前記軸部８ａの大径部８ｄがシャッタ５の表面から突出するのを防止する。他の構成は、図１５〜図１８に示す基本の実施例の場合と同様であるので重複する説明は省略する。
【００３５】
図２３は、枢支部８の更に他の実施例を示す。この実施例において、前記軸部８ａの大径部８ｄの上面８ｊは、平坦面に形成されていると共に、下面８ｋは、外周部側から内周部側に向かって徐々に肉厚を増す傾斜面に形成されている。一方、前記軸受部８ｂの大径孔部８ｅ及び小径孔部８ｆの第２受部８ｉも前記軸部８ａの大径部８ｄの下面８ｋに合せて傾斜面に形成されている。
【００３６】
前記軸部８ａの大径部８ｄは、内側に行くに従って肉厚になっていて撓み難くなっているので前記軸受部８ｂの小径孔部８ｆから抜け難いものになる。他の構成は、前述の他の実施例の場合と同様であるので重複する説明は省略する。
【００３７】
（２）カートリッジ筐体の構成
図４の分解斜視図に示すように、下シェル２２には、前記シャッタ駆動機構７を構成する一対の駆動軸部１０が設けられている。
【００３８】
図２４に示すように、上シェル２１は、正面側が円弧形状とされた略四角形をなす薄い皿状部材からなり、外周縁部には周壁２１ａが設けられている。
【００３９】
周壁２１ａは、前縁部２１ｂと、一対の側縁部２１ｃ，２１ｄと、後縁部２１ｅからなっている。後縁部２１ｅの中央部には、下シェル２２との位置決めを行う位置決め用の凹部２１ｆが設けられている。
【００４０】
前記周壁２１ａの内側、詳しくは、前縁部２１ｂと一方の側縁部２１ｃのコーナー部分、一方の側縁部２１ｃと後縁部２１ｅのコーナー部分、後縁部２１ｅと他方の側縁部２１ｄのコーナー部分にはそれぞれ、円弧状リブ１４が設けられている。
【００４１】
円弧状リブ１４の内側には、リング状リブ１５が設けられている。このリング状リブ１５の内側は、ディスク３の収納部１６になっている。
【００４２】
リング状リブ１５の外側には、後に詳しく説明するインナーロータ４のリング部の先端が嵌合するリング状の凹部１７が設けられている。リング状の凹部１７の底面の前後対称位置（１８０°位相をずらした位置）にはインナーロータ４を下シェル２２から離間する方向に移動させるためのリフトアップ用の凸部１８が設けられている。リフトアップ用の凸部１８は、後に説明するインナーロータ４のリング部４１の先端面に設けたインナーロータ側のリフトアップ用の凸部４６が乗り上げることにより、インナーロータ４を上シェル２１から離間する方向に移動させるようになっている。
【００４３】
図２５に示すように、下シェル２２は、上シェル２１と同様に正面側が円弧形状とされた略四角形をなす薄い皿状部材からなり、外周縁部には周壁２２ａが設けられている。
【００４４】
周壁２２ａは、前縁部２２ｂと、一対の側縁部２２ｃ，２２ｄと、後縁部２２ｅからなっている。後縁部２２ｅの中央部には、上シェル２１との位置決めを行う位置決め用の凸部２２ｆが設けられている。
【００４５】
前記周壁２２ａの内側、詳しくは、前縁部２２ｂと一方の側縁部２２ｃのコーナー部分、一方の側縁部２２ｃと後縁部２２ｅのコーナー部分、後縁部２２ｅと他方の側縁部２２ｄのコーナー部分には、円弧状リブ１９が設けられている。
【００４６】
下シェル２２の円弧状リブ１９の内側は、インナーロータ４の肉厚方向の略半分及び一対のシャッタ５を収納する収納部になっている。
【００４７】
上，下シェル２１，２２は、位置決め用の凹部２１ｆに位置決め用の凸部２２ｆを嵌合した状態で、互いの周壁２１ａ，２２ａを突き合せた状態で重ね合わされている。
【００４８】
下シェル２２には、中央部から前縁部２２ｂにかけて開口部６が設けられている。この開口部６は、ディスク回転駆動機構のターンテーブルと光学ピックアップ装置の光学ヘッドを情報記録媒体３に臨ませる記録／再生用開口部６ａと、ディスク回転駆動機構のターンテーブルを臨ませる中央開口部６ｂとからなっている。
【００４９】
また、図３に示すように、上，下シェル２１，２２の一方の側縁部２１ｄ，２２ｄの略中央部には、インナーロータ４の外周面のギヤ４３の一部を露出させるための開口窓３０が設けられている。この開口窓３０は、上シェル２１に設けた上シェル側切欠き部３０ａと、下シェル２２に設けた下シェル側切欠き部３０ｂとによって形成されている。更に、上，下シェル２１，２２の一方の側縁部２１ｃ，２２ｃには、その接合面に沿って前後方向に延びるガイド溝３１が設けられている。このガイド溝３１は、記録媒体カートリッジ１をディスク記録再生装置に装着する際の誤挿入防止等を目的として設けられたものである。このガイド溝３１は開口窓３０に連通している。
【００５０】
図４に示すように、下シェル２２の前縁部２２ｂと一方の側縁部２２ｄとのコーナー部には、ロック部材３２が回動可能に収納されるロック収納部３３が設けられている。このロック収納部３３は、下シェル２２のインナーロータ等の収納部に連通されていると共に、一方の側縁部２２ｄに設けられた開口穴３４を介してガイド溝３１に連通されている。更に、下シェル２２のロック収納部３３には、ロック部材３２を回動自在に支持する支持軸３５が、上シェル２１側へ突出するように設けられている。
【００５１】
ロック部材３２は、支持軸３５に回動自在に嵌合されて平面方向へ揺動可能とされたレバー状部材によって形成されている。ロック部材３２の長手方向の一端には複数の歯を有するストッパ部３６が設けられ、長手方向の他端には操作部３７が設けられている。更に、ロック部材３２には、ストッパ部３６と対向するよう同方向に突出されたバネ片３８が一体に設けられている。
【００５２】
前記ロック部材３２は、ストッパ部３６をインナーロータ等の収納部側に向けた状態で支持軸３５に嵌入され、バネ片３８が前縁部２２ｂの内面に当接される。このバネ片３８のバネ力によってストッパ部３６がインナーロータ等の収納部側に付勢されると共に、操作部３７が開口穴３４を内側から貫通してガイド溝３１内に突出される。また、下シェル２２の一方の側縁部２２ｃと後縁部２２ｅのコーナー部分に設けた誤消去防止部材取付部９１には、光ディスク等の記録媒体に記録された情報の誤消去を防止するための誤消去防止部材９２が取り付けられている。
【００５３】
（３）情報記録媒体の構成
情報記録媒体３として、オーディオ情報としての音楽信号やビデオ情報としての映像信号及び音楽信号等の各種の情報信号が予め記録された再生専用型の光ディスク、或いはオーディオ情報やビデオ情報等の情報信号が１度だけ記録可能な追記型若しくは何度でも繰り返して記録可能な書換え型が記録可能型の光ディスクとして知られているが、実施例では記録可能型の光ディスク（以下、情報記録媒体を単に光ディスクと称する）が使用されている。
【００５４】
図４に示したように、光ディスク３は、中央部にセンタ穴３ａが設けられた厚みの薄い円板状の記録部材からなる。
【００５５】
光ディスク３は、チャッキングプレート押さえ３ｂにより上シェル２１の内面に取り付けられたチャッキングプレート３ｃによりディスク記録再生装置のターンテーブルにチャッキングされて回転方向に一体化されて所定速度（例えば、ゾーン毎の角速度一定：ＺＣＡＶ）で回転される。
【００５６】
光ディスク３の一面には、記録再生装置に内蔵される光学ピックアップ装置の光学ヘッドが対向される情報記録の可能な情報記録領域２９ａと、情報記録の不可能な非記録領域２９ｂとが設けられている。非記録領域２９ｂは、光ディスク３の中央部のセンタ穴３ａの外側に所定幅で設けられた内側の非記録領域２９ｂと、光ディスク３の外周縁に所定幅で設けられた外側の非記録領域２９ｂとからなる。この内外側の非記録領域２９ｂ，２９ｂ間に情報記録領域２９ａが設けられている。
【００５７】
光ディスク３は、次に説明するインナーロータ４のリング部４１内に回転自在に収納される。なお、光ディスク３の基板の材質としては、例えば、ポリカーボネート（ＰＣ）、ポリメタクリレート（ＰＭＭＡ）等の合成樹脂が好適であるが、他の合成樹脂を用いることができることは勿論のこと、合成樹脂以外でも、ガラス材やアルミニウム合金等の各種の材料を用いることができる。
【００５８】
情報記録媒体としては、光ディスクに限定されるものではなく、薄い円盤の表面に、磁性薄膜層を形成して特定位置の磁化状態により情報を記憶するようにした磁気ディスク、同様に形成した磁性薄膜層に光ヘツドと磁気ヘツドを使用して情報を書き込み又は読み出すようにした光磁気ディスクその他の記憶媒体を適用することができる。
【００５９】
（４）インナーロータの構成
インナーロータ４は、図４に示すように、円盤状の薄い板材からなる平面部４０と、この平面部４０の外周縁に連続して設けられたリング部４１とを有している。インナーロータ４の平面部４０には、開口部４２が形成されていると共に、下面側（リング部４１と反対側の面）には前記シャッタ駆動機構７の枢支部８を構成する一対の軸部８ａが設けられている。これら一対の軸部８ａは、開口部４２を中心にして点対称となるように設けられている。また、インナーロータ４のシャッタ対向面には、前記駆動軸部１０の先端部を挿入した侭の状態でインナーロータ４を回転可能にするための軸受凹部１１が円周方向に形成されている。
【００６０】
前記開口部４２は、前記下シェル２２の開口部６と同様に、ディスク回転駆動機構のターンテーブルと光学ピックアップ装置の光学ヘッドを情報記録媒体３に臨ませる記録／再生用開口部４２ａと、ディスク回転駆動機構のターンテーブルを臨ませる中央開口部４２ｂとからなっている。
【００６１】
図５に示すように、リング部４１は、上シェル２１の内面に設けられたリング状リブ１５の外径よりも稍大径の円筒状に形成され、前記リング状リブ１５の外周に回転自在に嵌合され、その先端部が前記リング状リブ１５の外側に設けられたリング状の凹部１７に挿入されるようになっている。
【００６２】
また、リング部４１の外周面には、周方向の所定範囲に渡って多数の歯を有するギア部４３が設けられている。このギア部４３は、インナーロータ４の回転角度よりも少々大きい角度範囲となるように設定されている。即ち、図２７に示すように、下シェル２２の開口部６に対してインナーロータ４の開口部４２が最大に傾いて、次に説明する一対のシャッタ部材５ａ，５ｂが完全に閉じた状態になると、ギア部４３の周方向の一端が開口窓３０の一端に位置（露出）し、次に説明するストッパ部４４ａに設けた突起係合凹部４４が開口窓３０の中央に位置（露出）する。また、図２６に示すように、インナーロータ４が所定角度回転して開口部４２と開口部６が重なり合った状態となり、一対のシャッタ部材５ａ，５ｂが完全に開いたときに、ギア部４３の周方向の他端が開口窓３０に位置（露出）する。
【００６３】
インナーロータ４のギア部４３の両側には、インナーロータ４の回転移動量を制限するストッパ部４４ａ，４４ｂが半径方向外側へ突出するように設けられている。
【００６４】
このようにギア部４３及びストッパ部４４ａ，４４ｂがリング部４１の外周面から外側へ突出しているため、上シェル２１及び下シェル２２の対応する部分には、ストッパ部４４ａ，４４ｂ等との接触を回避してその通過を許容するための逃げ溝４５ａ，４５ｂがそれぞれ設けられている。
【００６５】
図２６に示すように、インナーロータ４の開口部４２と下シェル２２の開口部６が重なり合った状態になると、ストッパ部４４ａの一端部が逃げ溝４５ａの一端部に設けたストッパ係合部４５ｃに係合してインナーロータ４の更なる回転を阻止する。また、図２７に示すように、インナーロータ４の開口部４２が下シェル２２の開口部６に対して最大に傾いた状態になると、ストッパ部４４ｂの一端部が開口部６の一端部に設けたストッパ係合部４５ｄに係合してインナーロータ４の更なる回転を阻止する。
【００６６】
更に、リング部４１の先端面には、周方向の２箇所にリフトアップ用の凸部４６が設けられている。これらインナーロータ側のリフトアップ用の凸部４６は、図２７に示すように、インナーロータ４の開口部４２が下シェル２２の開口部６に対して最大に傾いた状態において、図３４（Ａ）に示すように、上シェル２１のリング状の凹部１７内に設けたリフトアップ用の凸部１８に乗り上げるようになっている。
【００６７】
図５に示すように、前記一対の軸部８ａ，８ａの近傍には、下シェル２２に設けた略Ｈ形状のリブ状の凸部２０ａ（図４参照）と略同じ高さの台形状の嵌合解除用の凸部４８、４８が設けられている。これら嵌合解除用の凸部４８、４８は、シャッタ部材５ａ，５ｂが開口部６を閉じている図２７の位置（第１の位置）から開口部６を解放する図２６の位置（第２の位置）に移動する際に、前記略Ｈ形状のリブ状の凸部２０ａを次に説明する一対のシャッタ部材５ａ，５ｂの溝状の凹部２０ｂから抜き出すためのものである。
【００６８】
嵌合解除用の台形状の凸部４８、４８は、図２７に示す位置において、前記略Ｈ形状のリブ状の凸部２０ａの端部に設けた第２，第４の背高部２０ｅ，２０ｇの側方に位置している。
【００６９】
（５）シャッタの構成
図２８及び図２９に示すように、シャッタ５は、同一の形状及び大きさに形成された一対のシャッタ部材５ａ，５ｂによって構成されている。前記一対のシャッタ部材５ａ，５ｂは、前記下シェル２２に設けた略Ｈ形状のリブ状の凸部２０ａの第１〜第４の背高部２０ｄ〜２０ｇ（図２５参照）の高さと略同じ板厚の板体によって形成されている。
【００７０】
前記一対のシャッタ部材５ａ，５ｂには、前記インナーロータ４に設けた軸部８ａを挿入して枢支部８を構成する軸受部８ｂと、前記下シェル２２の内面に設けた駆動軸部１０を挿入する長孔９と、が設けられている。これらの長孔９は、それらが設けられているシャッタ部材５ａ，５ｂの軸受部８ｂを中心に放射方向へ延びるように形成されている。前記長孔９の外側の端部には、周囲に切り込みを入れることによって形成された弾性片５４と、ボス状の駆動軸部１０を逃がすための凹部５３とが設けられている。また、シャッタ部材５ａ，５ｂの円弧側辺には閉鎖用の凸片５５が設けられている。
【００７１】
前記一対のシャッタ部材５ａ、５ｂの弦側辺の略中央部には、弦線と直交する方向に所定の長さで形成された段部５０が設けられており、この段部５０を介してその両側に凸側接合部５０ａと凹側接合部５０ｂとが形成されている。更に、シャッタ部材５ａ，５ｂの各接合部５０ａ，５０ｂには、弦の延在方向と直交する方向に庇状に突出する庇部５１ａ，５１ｂがそれぞれ設けられている。かくして、一対のシャッタ部材５ａ，５ｂにおいて、互いの凸側接合部５０ａの端面と凹側接合部５０ｂの端面とがそれぞれ対向され、凸側接合部５０ａの庇部５１ａが凹側接合部５０ｂの庇部５１ｂにそれぞれ重なり合わされる。このシャッタ部材５ａ，５ｂの弦側辺の凸側接合部５０ｂ側の端部である軸組付部５０ｃには、軸受部８ｂがそれぞれ設けられている。
【００７２】
シャッタ部材５ａ、５ｂの弦側辺の凹側接合部５０ｂ側の端部には、それぞれ下シェル２２の略Ｈ形状のリブ状の凸部２０ａの端部に設けた第２の背高部２０ｅ又は第４の背高部２０ｇを導入する切欠部５０ｄが設けられている。
【００７３】
前記軸受部８ｂにインナーロータ４の平面部４０の軸部８ａを嵌合させることにより、各シャッタ部材５ａ，５ｂがインナーロータ４の平面部４０にそれぞれ回動自在に取り付けられる。この際、一対のシャッタ部材５ａ，５ｂは、互いの弦側辺を対向させて取り付けるようにする。その結果、図３０に示すように、一対のシャッタ部材５ａ，５ｂをそれぞれ外側へ離反させるように回動させたとき、各シャッタ部材５ａ，５ｂは、インナーロータ４の開口部４２を挟んで、その両側部上に重なるように載置される。一方、一対のシャッタ部材５ａ，５ｂをそれぞれ内側へ回動させて互いの接合部５０ａ，５０ｂをそれぞれ当接させることにより、図３１に示すように、開口部４２の中央部が一対のシャッタ部材５ａ，５ｂによって閉じられる。
【００７４】
シャッタを閉じた状態において、前記シャッタ部材５ａの凸片５５は、下シェル２２の第１の背高部２０ｄに当接し、シャッタ部材５ｂの凸片５５は、下シェル２２の第３の背高部２０ｆに当接して、これらの間の隙間を塞ぐようになっている。
【００７５】
また、前記シャッタ部材５ａ，５ｂの下シェル２２との摺接面には、略Ｈ形状のリブ状の凸部２０ａと係合して、防塵部を構成する溝状の凹部２０ｂが設けられている。溝状の凹部２０ｂには、シャッタ部材５ａ，５ｂが開口部４２を閉じている状態において、下シェル２２のリブ状の凸部２０ａが嵌合するようになっている。
【００７６】
シャッタ部材５ａ，５ｂの材質としては、例えば、ＡＢＳ樹脂（アクリロニトリル・ブタジエン・スチレン樹脂）、ＨＩＰＳ（高衝撃性ポリスチレン）、ＰＯＭ（ポリアセタール）等の合成樹脂が用いられ、更には摺動性が付与されたタイプの材料が好適である。しかしながら、その他の合成樹脂を適用できることは勿論のこと、アルミニウム合金、ステンレス鋼その他の金属材料を用いることもできる。
【００７７】
（６）記録媒体カートリッジの作用
次に、記録媒体カートリッジの作用をディスク記録再生装置の構成と共に説明する。ディスク記録再生装置６０は、図３２に示すように、中空の筐体からなる外装ケース６１と、この外装ケース６１内に収納された記録再生装置本体（図示省略）等を備えて構成されている。外装ケース６１は、上面及び前面に開口されたケース本体６２と、このケース本体６２の上面を閉じるように上部に着脱可能に取り付けられたケース蓋体６３と、ケース本体６２及びケース蓋体６３の前面を閉じるように前部に着脱可能に取り付けられた前面パネル６４等を備えている。
【００７８】
ケース本体６２の４箇所には、下方に突出する脚体６２ａが設けられている。これらの脚体６２ａによってディスク記録再生装置６０が支えられている。前面パネル６４は、横長とされた板状部材からなり、その上部には横長のカートリッジ出入口６５が設けられている。カートリッジ出入口６５は、記録媒体カートリッジ１の正面側の大きさ略同程度の大きさに形成されている。このカートリッジ出入口６５は、その内側に配置された開閉扉６６によって常時は閉じられている。
【００７９】
この開閉扉６６を記録媒体カートリッジ１の前部で押圧し、所定の位置まで差し込む。これにより、図示しないローディング機構によって記録媒体カートリッジ１が自動的に取リ込まれる。そして、ローディング機構で搬送された記録媒体カートリッジ１は、ディスク記録再生装置６０内の所定位置で位置決めされて固定される。これと同時に又は前後して、ディスク記録再生装置６０に設けられているシャッタ開閉機構によってシャッタ５が操作され、開口部６，４２が開放される。
【００８０】
これを具体的に説明すると、記録媒体カートリッジ１が所定の位置まで挿入されると、図３３に示すように、ディスク記録再生装置６０に内蔵されたシャッタ開閉機構のラック棒７０が、記録媒体カートリッジ１の一方の側面部に設けたガイド溝３１内に入り込む。これにより、ガイド溝３１内に突出されているロック部材３２の操作部３７が、バネ片３８の付勢力に抗してラック棒７０の押圧力によりロック収納部３３内に押し込められて、ロック部材３２によるインナーロータ４のロックが解除されると共に、前記ラック棒７０に弾性片７０ｂを介して設けた回転操作突起７０ｃがインナーロータ４に設けた突起係合凹部４４に係合して、インナーロータ４を回転させる。更に、ラック棒７０が相対的に前進することにより、そのギア部７０ａの先端がインナーロータ４のギア部４３に噛み合わされる。
【００８１】
このギア部４３がラック棒７０のギア部７０ａに噛み合うことにより、ラック棒７０の移動量に応じてインナーロータ４が回転される。
【００８２】
図３３は、ラック棒７０のギア部７０ａがインナーロータ４のギア部４３に噛み合う前の状態を示すものである。この状態では、一対のシャッタ部材５ａ，５ｂの凸側接合部５０ａ及び凹側接合部５０ｂは互いに突き当てられて密着されている。このとき、インナーロータ４の開口部４２は、下シェル２２の開口部６に対して傾斜された位置にあるため、両開口部６，４２の重なり合った中央部分のみが開口されるが、その開口部は一対のシャッタ部材５ａ，５ｂによって閉じられている。従って、開口部６，４２の重複部分から塵埃がディスク収納部内に入り込む虞れがない。
【００８３】
更に、開口部６と開口部４２とが鋭角で接近している部分には、一対のシャッタ部材５ａ，５ｂの軸取付部５０ｃが介在されており、これら軸取付部５０ｃがリブ状の凸部２０ａの第２，第４の背高部２０ｅ，２０ｇの内側に位置して隙間を消滅させている。また、第１，第３の背高部２０ｄ，２０ｆの内側には閉鎖用の突片５５が介在されて隙間を消滅させている。更に、一対のシャッタ部材５ａ，５ｂに設けた長孔９は、シャッタ部材５ａ，５ｂが重なっている下シェル２２によって閉じられている。更にまた、図３３に示したように、開口部６を囲むように下シェル２２に設けた略Ｈ形状のリブ状の凸部２０ａがシャッタ部材５ａ，５ｂに設けた溝状の凹部２０ｂに嵌まり込んでクランク状の防塵部が形成されて、開口部６，４２を介して塵埃がディスク収納部内に侵入するのを防止する。
【００８４】
この状態から、記録媒体カートリッジ１の挿入動作に対応してラック棒７０がガイド溝３１内に入り込み、そのギア部７０ａとインナーロータ４のギア部４３との噛み合いが開始されると、インナーロータ４が時計方向に回転される。この場合、インナーロータ４が回転動作を開始する初期状態では、図３３及び図３４（Ａ）に示すように、インナーロータ４のリフトアップ用の凸部４６が上シェル２１のリフトアップ用の凸部１８に乗り上げてインナーロータ４との間で一対のシャッタ部材５ａ、５ｂを挟持した状態となっているため、インナーロータ４の回転動作には比較的大きな力が必要とされる。リフトアップ用の凸部１８，４６相互の乗り上げによる大きな摩擦力に抗してインナーロータ４を回転させることにより、図３４（Ｂ）に示すように、リフトアップ用の凸部１８，４６相互の係合が外れ摩擦力が消滅する。そのため、これ以後のインナーロータ４の回転動作は、極めて軽く且つスムースに行うことができる。
【００８５】
インナーロータ４を回転により、インナーロータ４の底面に設けた嵌合解除用の台形状の凸部４８，４８が下シェル２２のリブ状の凸部２０ａの第１，第３の背高部２０ｄ，２０ｆに乗り上げて、下シェル２２に対してインナーロータ４が持ち上げられた状態になると共に、シャッタ部材５ａ，５ｂも上昇して、リブ状の凸部２０ａから溝状の凹部２０ｂが抜け出た状態になるのである。
【００８６】
そして、インナーロータ４の更なる回転により、シャッタ部材５ａ，５ｂは、図３３の状態から、図３５のシャッタの半開状態を経て、図３６に示すように、各シャッタ部材５ａ，５ｂがインナーロータ４の開口部４２の両側部に移動して、前記開口部６，４２が完全に開放された状態になり、ディスク収納部内に収納されている光デイスク３の一部が開口部６，４２によって露出される。そして、前記記録再生装置本体６２による情報信号の再生又は記録が実行される。
【００８７】
情報信号の再生又は記録の後、ディスク記録再生装置６０に設けられるカートリッジ排出ボタン（図示せず）を操作することにより、ローディング機構の作動を介して記録媒体カートリッジ１がディスク記録再生装置６０から排出される。
【図面の簡単な説明】
【００８８】
【図１】記録媒体カートリッジを上面側から見た斜視図。
【図２】記録媒体カートリッジを下面側から見た斜視図。（シャッタ閉状態）
【図３】記録媒体カートリッジを下面側から見た斜視図。（シャッタ開状態）
【図４】図１の分解斜視図。
【図５】図２の分解斜視図。
【図６】シャッタ駆動機構部分の分解斜視図。
【図７】シャッタが閉じられた状態を下面側から見たカートリッジの要部の底面図。
【図８】シャッタが開かれた状態を下面側から見たカートリッジの要部の底面図。
【図９】要部の断面図。
【図１０】インナーシェルの平面図。
【図１１】図１０のＡ−Ａ断面図。
【図１２】他の実施例の要部の断面図。
【図１３】インナーシェルの平面図。
【図１４】図１３のＢ−Ｂ断面図。
【図１５】枢支部の断面図。
【図１６】軸受部の平面図。
【図１７】（Ａ）は軸部を大径孔部に挿入した状態の断面図、（Ｂ）は同平面図。
【図１８】（Ａ）は軸部を小径孔部に挿入した状態の断面図、（Ｂ）は同平面図。
【図１９】枢支部の他の実施例の断面図。
【図２０】軸受部の平面図。
【図２１】（Ａ）は軸部を大径孔部に挿入した状態の断面図、（Ｂ）は同平面図。
【図２２】（Ａ）は軸部を小径孔部に挿入した状態の断面図、（Ｂ）は同平面図。
【図２３】枢支部の更に他の実施例の断面図
【図２４】上シェルの内面側の平面図。
【図２５】下シェルの内面側の平面図。
【図２６】下シェルにインナーロータを組み付けて両者の開口部の位置を合わせた状態の平面図。
【図２７】下シェルにインナーロータを組み付けて両者の開口部の位置をずらした状態の平面図。
【図２８】シャッタ部材を上面側から見た斜視図。
【図２９】シャッタ部材を下面側から見た斜視図。
【図３０】シャッタ部材をインナーロータに取り付けて開口部を開いた状態の斜視図。
【図３１】シャッタ部材をインナーロータに取り付けて開口部を閉じた状態の斜視図。
【図３２】ディスク記録再生装置の斜視図。
【図３３】カートリッジ筐体とシャッタ機構との動作関係を示し、シャッタ部材で開口部を完全に閉じた状態を示す説明図。
【図３４】（Ａ）はインナーロータのリフトアップ用の凸部が上シェルのリフトアップ用の凸部に乗り上げた状態を示す断面図、（Ｂ）はインナーロータと上シェルのリフトアップ用の凸部の係合が外れた状態を示す断面図。
【図３５】図３３の状態からインナーロータを回転させて一対のシャッタ部材を半開きにした状態を示す説明図。
【図３６】図３５の状態からインナーロータを更に回転させて一対のシャッタ部材が完全に開いた状態を示す説明図。
【図３７】従来例の分解斜視図。
【図３８】要部の断面図。
【図３９】従来のシャッタ駆動機構の問題点を示す断面図。
【図４０】（Ａ）と（Ｂ）は従来の枢支部の形成方法を示す断面図。
【符号の説明】
【００８９】
１…記録媒体カートリッジ、２…カートリッジ筐体（シェル）、３…光ディスク（情報記録媒体）、４…インナーロータ、５…シャッタ、５ａ，５ｂ…一対のシャッタ部材、６…開口部、６ａ…記録／再生用開口部、６ｂ…中央開口部、７…シャッタ駆動機構、８…枢支部、８ａ…軸部、８ｂ…軸受部、８ｃ…小径部、８ｄ…大径部、８ｅ…大径孔部、８ｆ…小径孔部、８ｇ…連通部、８…、９…長孔、１０…駆動軸部、１０ａ…先端部、１０ｂ…第１の溝挿入部、１０ｃ…第２の溝挿入部、１１…軸受凹部、１１ａ…第１の溝部、１１ｂ…第２の溝部、１３…挿入口部。
【図１】
2008091033.tif 000003
【図２】
2008091033.tif 000004
【図３】
2008091033.tif 000005
【図４】
2008091033.tif 000006
【図５】
2008091033.tif 000007
【図６】
2008091033.tif 000008
【図７】
2008091033.tif 000009
【図８】
2008091033.tif 000010
【図９】
2008091033.tif 000011
【図１０】
2008091033.tif 000012
【図１１】
2008091033.tif 000013
【図１２】
2008091033.tif 000014
【図１３】
2008091033.tif 000015
【図１４】
2008091033.tif 000016
【図１５】
2008091033.tif 000017
【図１６】
2008091033.tif 000018
【図１７】
2008091033.tif 000019
【図１８】
2008091033.tif 000020
【図１９】
2008091033.tif 000021
【図２０】
2008091033.tif 000022
【図２１】
2008091033.tif 000023
【図２２】
2008091033.tif 000024
【図２３】
2008091033.tif 000025
【図２４】
2008091033.tif 000026
【図２５】
2008091033.tif 000027
【図２６】
2008091033.tif 000028
【図２７】
2008091033.tif 000029
【図２８】
2008091033.tif 000030
【図２９】
2008091033.tif 000031
【図３０】
2008091033.tif 000032
【図３１】
2008091033.tif 000033
【図３２】
2008091033.tif 000034
【図３３】
2008091033.tif 000035
【図３４】
2008091033.tif 000036
【図３５】
2008091033.tif 000037
【図３６】
2008091033.tif 000038
【図３７】
2008091033.tif 000039
【図３８】
2008091033.tif 000040
【図３９】
2008091033.tif 000041
【図４０】
2008091033.tif 000042